(57)【要約】      （修正有）【課題】天板に載置された被検体の目の位置に応じて、反射板の位置を容易に調整可能な医用画像診断装置を提供する。【解決手段】医用画像診断装置は、被検体が挿入されるボアを有する架台と、ボアの中心軸に沿って移動可能な天板１３１と、天板１３１とともに移動可能であって、反射板６７を回転可能に支持する支持アーム６５を中心軸に沿って移動可能に支持するベース部材６１と有する。天板１３１は、天板１３１に載置された被検体の目の位置を測る第１目盛７７を有する。医用画像診断装置は、ベース部材６１に設けられ支持アーム６５の位置に関して第１目盛７７に対応付けられたアーム第２目盛７３と、支持アーム６５の反射板６７の端部に設けられ反射板６７の回転に関して第１目盛７７に対応付けられた第３目盛とのうち少なくとも一つの目盛を有する。【選択図】図６
2018068365.tif 000002
【特許請求の範囲】
【請求項１】
被検体が挿入されるボアを有する架台と、
前記ボアの中心軸に沿って移動可能な天板と、
前記天板とともに移動可能であって、反射板を回転可能に支持する支持アームを前記中心軸に沿って移動可能に支持するベース部材と、を具備し、
前記天板は、前記天板に載置された前記被検体の目の位置を測る第１目盛を有し、
前記ベース部材に設けられ、前記支持アームの位置に関して前記第１目盛に対応付けられた第２目盛と、前記支持アームの前記反射板側の端部に設けられ、前記反射板の回転に関して前記第１目盛に対応付けられた第３目盛とのうち少なくとも一つの目盛を有する医用画像診断装置。
【請求項２】
前記第１目盛、前記第２目盛、および前記第３目盛各々は、基準を示す基準線を有し、
前記目の位置に対応する前記第１目盛の目盛線と前記第１目盛の前記基準線との間の目幅数だけ、前記第１目盛の前記基準線から前記目盛線に向かう方向に、前記第２目盛および前記第２目盛の前記基準線を用いて前記支持アームを移動させることにより、前記反射板は前記目の位置の直上に移動され、
前記方向に対応する回転方向に前記目幅数だけ、前記第３目盛および前記第３目盛の前記基準線を用いて前記反射板を回転させることにより、前記目の位置の直上における前記反射板を介した視線の到達先は所定の位置に維持される、
請求項１に記載の医用画像診断装置。
【請求項３】
前記支持アームは、
前記ベース部材上における前記支持アームの移動量に応じた回転量で、前記反射板を回転させる回転機構をさらに具備する、
請求項１または２に記載の医用画像診断装置。
【請求項４】
被検体が挿入されるボアを有する架台と、
前記ボアの中心軸に沿って移動可能であって、天板に搭載された頭部コイル装置と、
前記頭部コイル装置とともに移動可能であって、反射板を支持する支持アームを前記中心軸に沿って移動可能に支持するベース部材と、を具備し、
前記頭部コイル装置は、前記被検体の目の位置を測る第１目盛を有し、
前記ベース部材に設けられ、前記支持アームの位置に関して前記第１目盛に対応付けられた第２目盛と、前記支持アームの前記反射板側の端部に設けられ、前記反射板の回転に関して前記第１目盛に対応付けられた第３目盛とのうち少なくとも一つの目盛を有する磁気共鳴イメージング装置。
【請求項５】
前記第１目盛、前記第２目盛、および前記第３目盛各々は、基準を示す基準線を有し、
前記目の位置に対応する前記第１目盛の目盛線と前記第１目盛の前記基準線との間の目幅数だけ、前記第１目盛の前記基準線から前記目盛線に向かう方向に、前記第２目盛および前記第２目盛の前記基準線を用いて前記支持アームを移動させることにより、前記反射板は前記目の位置の直上に移動され、
前記方向に対応する回転方向に前記目幅数だけ、前記第３目盛および前記第３目盛の前記基準線を用いて前記反射板を回転させることにより、前記目の位置の直上における前記反射板を介した視線の到達先は所定の位置に維持される、
請求項４に記載の磁気共鳴イメージング装置。
【請求項６】
前記支持アームは、
前記ベース部材上における前記支持アームの移動量に応じた回転量で、前記反射板を回転させる回転機構をさらに具備する、
請求項４または５に記載の磁気共鳴イメージング装置。
【請求項７】
被検体の頭部を囲う枠体と、
前記枠体に設けられたＭＲ撮像用のＲＦコイルと、
前記枠体に設けられ、前記被検体の目の位置を測る目盛と、
前記枠体に設けられ、反射板を回転可能に支持する支持アームと、を具備し、
前記支持アームは、前記反射板の回転に関して前記目の位置を測る目盛に対応付けられた目盛を有する頭部コイル装置。
【請求項８】
前記目の位置を測る目盛および前記反射板の回転に関して前記目の位置を測る目盛に対応付けられた目盛各々は、基準を示す基準線を有し、
前記目の位置に対応する前記目の位置を測る目盛の目盛線と前記目の位置を測る目盛の前記基準線との間の目幅数だけ、前記目の位置を測る目盛の前記基準線から前記目盛線に向かう方向に対応する回転方向に、前記反射板の回転に関して前記目の位置を測る目盛に対応付けられた目盛と前記反射板の回転に関して前記目の位置を測る目盛に対応付けられた目盛の前記基準線とを用いて前記反射板を回転させることにより、前記目の位置の直上における前記反射板を介した視線の到達先は所定の位置に維持される、
請求項７に記載の頭部コイル装置。
【請求項９】
前記支持アームは、前記頭部コイル装置が設置される天板の長軸方向に沿って移動可能であって、
前記枠体は、前記支持アームの位置に関して前記目の位置を測る目盛に対応付けられた目盛をさらに有する、
請求項７または８に記載の頭部コイル装置。
【請求項１０】
前記目の位置を測る目盛および前記支持アームの位置に関して前記目の位置を測る目盛に対応付けられた目盛各々は、基準を示す基準線を有し、
前記目の位置に対応する前記目の位置を測る目盛の目盛線と前記目の位置を測る目盛の前記基準線との間の目幅数だけ、前記目の位置を測る目盛の前記基準線から前記目盛線に向かう方向に、前記支持アームの位置に関して前記目の位置を測る目盛に対応付けられた目盛と前記支持アームの位置に関して前記目の位置を測る目盛に対応付けられた目盛の前記基準線とを用いて前記支持アームを移動させることにより、前記反射板は前記目の位置の直上に移動される、
請求項９に記載の頭部コイル装置。
【請求項１１】
前記支持アームは、
前記枠体上における前記支持アームの移動量に応じた回転量で、前記反射板を回転させる回転機構をさらに具備する、
請求項９または１０に記載の頭部コイル装置。
【発明の詳細な説明】
【技術分野】
【０００１】
本発明の実施形態は、医用画像診断装置、磁気共鳴イメージング装置、および頭部コイル装置に関する。
【背景技術】
【０００２】
医用画像診断装置は、例えば、ボアが設けられた架台に被検体を挿入して撮像する。医用画像診断装置の一例として、磁気共鳴イメージング装置は、磁石等の撮像機構を装備する架台を有し、ボア内に被検体が挿入された状態でＭＲ（Ｍａｇｎｅｔｉｃ  Ｒｅｓｏｎａｎｃｅ）撮像を行う。ボア内に移動された被検体は、圧迫感や閉塞感を感じることがある。このため、圧迫感や閉塞感を低減させるために、反射板を介して映像をボア内に移動された被検体に、反射板を介して映像を視認させることがある。
【先行技術文献】
【特許文献】
【０００３】
【特許文献１】特開平３−３２６４４号公報
【特許文献２】特開平２−２３４７４５号公報
【発明の概要】
【発明が解決しようとする課題】
【０００４】
実施形態の目的は、天板に載置された被検体の目の位置に応じて、反射板の位置を容易に調整可能な医用画像診断装置、磁気共鳴イメージング装置、および頭部コイル装置を提供することにある。
【課題を解決するための手段】
【０００５】
本実施形態に係る医用画像診断装置は、架台と、天板と、ベース部材とを有する。前記架台は、被検体が挿入されるボアを有する。前記天板は、前記ボアの中心軸に沿って移動可能である。前記ベース部材は、前記天板とともに移動可能であって、反射板を回転可能に支持する支持アームを前記中心軸に沿って移動可能に支持する。前記天板は、前記天板に載置された前記被検体の目の位置を測る第１目盛を有する。前記医用画像診断装置は、前記ベース部材に設けられ前記支持アームの位置に関して前記第１目盛に対応付けられた第２目盛と前記支持アームの前記反射板側の端部に設けられ前記反射板の回転に関して前記第１目盛に対応付けられた第３目盛とのうち少なくとも一つの目盛を有する。
【図面の簡単な説明】
【０００６】
【図１】図１は、本実施形態に係る医用画像診断装置を含む医用画像診断システムの構成を示す図である。
【図２】図２は、本実施形態において、磁気共鳴イメージング装置の構成を示す図である。
【図３】図３は、本実施形態において、係る磁気共鳴イメージングシステムの設置環境の一例を示す図である。
【図４】図４は、本実施形態において、スクリーン装置の斜視図である。
【図５】図５は、図４のスクリーン装置の側面図である。
【図６】図６は、本実施形態において、スクリーン装置と天板との斜視図である。
【図７】図７は、本実施形態において、天板に載置された被検体と、スクリーン装置との側面図である。
【図８】図８は、本実施形態において、位置調整機能に係る処理の流れの一例を示すフローチャートである。
【図９】図９は、本実施形態において、支持アームの移動前後における天板とスクリーン装置との側面を示す図である。
【図１０】図１０は、本実施形態に係る第１の変形例において、支持アームの移動前後における頭部コイル装置とスクリーン装置との側面を示す図である。
【図１１】図１１は、本実施形態に係る第２の変形例において、反射板の回転前後における天板と頭部コイル装置との側面を示す図である。
【図１２】図１２は、第２の変形例において、位置調整機能による支持アームの移動により、被検体の視線の到達先が変化する一例を示す図である。
【図１３】図１３は、第２の変形例において、傾き調整機能に係る処理の流れの一例を示すフローチャートである。
【図１４】図１４は、本実施形態に係る第３の変形例において、支持アームの移動前後および反射板の回転前後における天板とスクリーン装置との側面を示す図である。
【発明を実施するための形態】
【０００７】
以下、図面を参照しながら本実施形態に係わる医用画像診断システムを説明する。なお、以下の説明において、略同一の機能及び構成を有する構成要素については、同一符号を付し、重複説明は必要な場合に行う。
【０００８】
図１は、本実施形態に係わる医用画像診断システム１の構成を示す図である。この医用画像診断システム１は、互いに有線又は無線で通信可能に接続された医用画像診断装置１０と投影機１００と投影機制御装置２００とを含む。医用画像診断装置１０は、架台１１、寝台１３、スクリーン装置１５及び撮像制御ユニット１７を有する。例えば、架台１１、寝台１３及びスクリーン装置１５は、検査室に設置され、撮像制御ユニット１７は、検査室に隣接する制御室に設置される。
【０００９】
架台１１は、撮像機構を有する。架台１１には、被検体が挿入される中空形状を有するボアが形成される。すなわち、架台１１は、被検体が挿入されるボアを有する。ここで、架台１１の外装において、開口部を有する面のうち、寝台１３が設置される側をフロント面と呼ぶことにする。一方、架台１１の外装において、開口部を有する面のうち、フロント面とは反対側の面をリア面と呼ぶことにする。
【００１０】
寝台１３は、被検体が載置される天板を移動自在に支持する。寝台１３は、コンソール等による制御に従い、ボア内に天板を移動させる。ボア内には、ボアの中心軸に沿って移動可能なスクリーン装置１５が設けられる。
【００１１】
架台１１のリア面側には投影機１００が設置されている。投影機１００は、スクリーン装置１５を挟んで寝台１３とは反対側、すなわちリア面側に設置される。
【００１２】
投影機制御装置２００は、投影機１００を制御するコンピュータ装置である。投影機制御装置２００は、投影対象の映像に関するデータを投影機１００に供給する。投影機１００は、投影機制御装置２００からのデータに対応する映像を、スクリーン装置１５のスクリーンに投影する。なお、スクリーンは、架台１１のリア面における開口部に対向する検査室の壁面に設けられてもよい。また、スクリーン、投影機１００および投影機制御装置２００の代わりに、架台１１のリア面における開口部に対向する検査室の壁面に、ディスプレイが設けられてもよい。このディスプレイに表示させる制御は、例えば、制御室内に設置されたコンソール等により制御される。
【００１３】
撮像制御ユニット１７は、医用画像診断装置１０の中枢として機能する。例えば、撮像制御ユニット１７は、撮像を行うために架台１１を制御する。また、撮像制御ユニット１７は、撮像において架台１１により収集されたデータに基づいて被検体Ｐに関する医用画像を再構成する。なお、撮像制御ユニット１７は、投影機制御装置２００を介して投影機１００を制御してもよい。
【００１４】
医用画像診断システム１は、投影機１００とスクリーン装置１５とを利用して、医用画像診断装置１０による撮像時におけるボア内の居住性を高めることを可能にする。医用画像診断装置１０としては、ボアが形成された架台１１を用いて被検体を撮像可能な任意のモダリティに適用可能となっている。具体的には、本実施形態に係る医用画像診断装置１０は、ＭＲＩ（Ｍａｇｎｅｔｉｃ  Ｒｅｓｏｎａｎｃｅ  Ｉｍａｇｉｎｇ：磁気共鳴イメージング）装置、Ｘ線コンピュータ断層撮影（ＣＴ：Ｃｏｍｐｕｔｅｄ  Ｔｏｍｏｇｒａｐｈｙ）装置、ＰＥＴ（Ｐｏｓｉｔｒｏｎ  Ｅｍｉｓｓｉｏｎ  Ｔｏｍｏｇｒａｐｈｙ）装置及びＳＰＥＣＴ（Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）装置等の単一モダリティに適用可能である。或いは、本実施形態に係る医用画像診断装置１０としては、ＭＲ／ＰＥＴ装置、ＣＴ／ＰＥＴ装置、ＭＲ／ＳＰＥＣＴ装置、ＣＴ／ＳＰＥＣＴ装置等の多様な複合モダリティに適用されてもよい。しかしながら、以下の説明を具体的に行うため、本実施形態に係る医用画像診断装置１０は、磁気共鳴イメージング装置１０であるとする。また、磁気共鳴イメージング装置１０と投影機１００と投影機制御装置２００とを含む医用画像診断システム１を磁気共鳴イメージングシステム１と呼ぶことにする。
【００１５】
図２は、本実施形態に係る磁気共鳴イメージング装置１０の構成を示す図である。この磁気共鳴イメージング装置１０は、架台１１、寝台１３、スクリーン装置１５及び撮像制御ユニット１７を有する。撮像制御ユニット１７は、傾斜磁場電源２１、送信回路２３、受信回路２５及びコンソール２７を有する。コンソール２７は、撮像制御回路３１、再構成回路３２、画像処理回路３３、通信回路３４、表示回路３５、入力回路３６、主記憶回路３７及びシステム制御回路３８を有する。各回路３２〜３８は、互いにバスを介して通信可能に接続されている。傾斜磁場電源２１、送信回路２３及び受信回路２５は、コンソール２７と架台１１とは別個に設けられている。
【００１６】
架台１１は、静磁場磁石４１、傾斜磁場コイル４３及びＲＦコイル４５を有する。また、静磁場磁石４１と傾斜磁場コイル４３とは架台１１の筐体（以下、架台筐体と呼ぶ）５１に収容されている。架台筐体５１には中空形状を有するボア５３が形成されている。架台筐体５１のボア５３内にＲＦコイル４５が配置される。また、架台筐体５１のボア５３内にスクリーン装置１５が配置される。
【００１７】
静磁場磁石４１、傾斜磁場コイル４３及びＲＦコイル４５等は、撮像機構に相当する。なお、本医用画像診断装置１０がＣＴ装置、ＰＥＴ装置、ＳＰＥＣＴ装置、ＣＴ／ＰＥＴ装置、ＭＲ／ＰＥＴ装置、ＭＲ／ＳＰＥＣＴ装置、ＣＴ／ＳＰＥＣＴ装置等の各種モダリティである場合、これらモダリティにおける架台の装備は、各種撮像機構に相当する。
【００１８】
静磁場磁石４１は、中空の略円筒形状を有し、略円筒内部に静磁場を発生する。静磁場磁石４１は、例えば超伝導磁石である。ここで、静磁場磁石４１の中心軸をＺ軸に規定し、Ｚ軸に対して鉛直に直交する軸をＹ軸と呼び、Ｚ軸に水平に直交する軸をＸ軸と呼ぶことにする。Ｘ軸、Ｙ軸、及びＺ軸は、直交３次元座標系を構成する。
【００１９】
傾斜磁場コイル４３は、静磁場磁石４１の内側に設けられ、中空の略円筒形状に形成されたコイルユニットである。傾斜磁場コイル４３は、傾斜磁場電源２１からの電流の供給を受けて傾斜磁場を発生する。
【００２０】
傾斜磁場電源２１は、撮像制御回路３１による制御に従い傾斜磁場コイル４３に電流を供給し、傾斜磁場コイル４３に傾斜磁場を発生させる。
【００２１】
ＲＦコイル４５は、傾斜磁場コイル４３の内側に配置され、送信回路２３からＲＦパルスの供給を受けて高周波磁場を発生する。また、ＲＦコイル４５は、高周波磁場の作用を受けて被検体Ｐ内に存在する対象原子核から発せられる磁気共鳴信号（以下、ＭＲ信号と呼ぶ）を受信する。受信されたＭＲ信号は、有線又は無線を介して受信回路２５に供給される。
【００２２】
送信回路２３は、被検体Ｐ内に存在する対象原子核を励起するための高周波磁場を、ＲＦコイル４５を介して被検体Ｐに送信する。具体的には、送信回路２３は、撮像制御回路３１による制御に従って、例えばプロトンなどの対象原子核を励起するための高周波信号（ＲＦ信号）をＲＦコイル４５に供給する。ＲＦコイル４５から発生された高周波磁場は、対象原子核に固有の共鳴周波数で振動し、対象原子核を励起させる。励起された対象原子核からＭＲ信号が発生され、ＲＦコイル４５により検出される。検出されたＭＲ信号は、受信回路２５に供給される。
【００２３】
受信回路２５は、励起された対象原子核から発生されるＭＲ信号を、ＲＦコイル４５を介して受信する。受信回路２５は、受信されたＭＲ信号を信号処理してデジタルのＭＲ信号を発生する。デジタルのＭＲ信号は、有線又は無線を介して再構成回路３２に供給される。
【００２４】
一方、架台１１に隣接して寝台１３が設置される。寝台１３は、天板１３１と基台１３３とを有する。天板１３１には被検体Ｐが載置される。基台１３３は、天板１３１を例えば、Ｘ軸、Ｙ軸、ボア５３の中心軸Ｚ軸各々に沿ってスライド可能に支持する。基台１３３には寝台駆動装置１３５が収容される。寝台駆動装置１３５は、撮像制御回路３１からの制御を受けて天板１３１を移動させる。
【００２５】
撮像制御回路３１は、ハードウェア資源として、ＣＰＵ（Ｃｅｎｔｒａｌ  Ｐｒｏｃｅｓｓｉｎｇ  Ｕｎｉｔ）あるいはＭＰＵ（Ｍｉｃｒｏ  Ｐｒｏｃｅｓｓｉｎｇ  Ｕｎｉｔ）等のプロセッサと、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリとを有する。撮像制御回路３１は、システム制御回路３８から供給されるパルスシーケンス情報に基づいて、傾斜磁場電源２１、送信回路２３及び受信回路２５を同期的に制御し、当該パルスシーケンス情報に応じたパルスシーケンスで被検体Ｐを撮像する。
【００２６】
再構成回路３２は、ハードウェア資源として、ＣＰＵやＧＰＵ（Ｇｒａｐｈｉｃａｌ  ｐｒｏｃｅｓｓｉｎｇ  ｕｎｉｔ）、ＭＰＵ等のプロセッサとＲＯＭやＲＡＭ等のメモリとを有する。再構成回路３２は、受信回路２５からのＭＲ信号に基づいて被検体Ｐに関するＭＲ画像を再構成する。なお、再構成回路３２は、再構成機能を実現する特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）やフィールド・プログラマブル・ゲート・アレイ（Ｆｉｅｌｄ  Ｐｒｏｇｒａｍｍａｂｌｅ  Ｌｏｇｉｃ  Ａｒｒａｙ：ＦＰＧＡ）、他の複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ）、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）により実現されてもよい。
【００２７】
画像処理回路３３は、ハードウェア資源として、ＣＰＵ、ＧＰＵ、ＭＰＵ等のプロセッサとＲＯＭやＲＡＭ等のメモリとを有する。画像処理回路３３は、再構成回路３２により再構成されたＭＲ画像に種々の画像処理を施す。
【００２８】
通信回路３４は、図示しない有線又は無線を介して投影機制御装置２００又は投影機１００との間でデータ通信を行う。
【００２９】
表示回路３５は、種々の情報を表示する。例えば、表示回路３５は、再構成回路３２により再構成されたＭＲ画像や画像処理回路３３により画像処理が施されたＭＲ画像を表示する。また、表示回路３５は、投影機１００により投影される映像を表示してもよい。
【００３０】
入力回路３６は、具体的には、入力機器と入力インタフェース回路とを有する。入力機器は、ユーザからの各種指令を受け付ける。入力機器としては、キーボードやマウス、各種スイッチ等が利用可能である。入力インタフェース回路は、入力機器からの出力信号を、バスを介してシステム制御回路３８に供給する。なお、入力回路３６は、マウス、キーボードなどの物理的な操作部品を備えるものだけに限らない。例えば、磁気共鳴イメージング装置１０とは別体に設けられた外部の入力機器から入力操作に対応する電気信号を受け取り、受け取った電気信号を種々の回路へ出力するような電気信号の処理回路も入力回路３６の例に含まれる。
【００３１】
主記憶回路３７は、種々の情報を記憶するＨＤＤ（ｈａｒｄ  ｄｉｓｋ  ｄｒｉｖｅ）やＳＳＤ（ｓｏｌｉｄ  ｓｔａｔｅ  ｄｒｉｖｅ）、集積回路記憶装置等の記憶装置である。また、主記憶回路３７は、ＣＤ−ＲＯＭドライブやＤＶＤドライブ、フラッシュメモリ等の可搬性記憶媒体との間で種々の情報を読み書きする駆動装置等であってもよい。主記憶回路３７は、ＭＲ画像や磁気共鳴イメージング装置１０の制御プログラム等を記憶する。
【００３２】
システム制御回路３８は、ハードウェア資源として、ＣＰＵ、ＭＰＵ等のプロセッサとＲＯＭ、ＲＡＭ等のメモリとを有する。システム制御回路３８は、磁気共鳴イメージング装置１０の中枢として機能する。システム制御回路３８は、主記憶回路３７に記憶されている制御プログラムを読み出してメモリ上に展開し、展開された制御プログラムに従って磁気共鳴イメージング装置１０の各部を制御する。
【００３３】
図３は、本実施形態に係る磁気共鳴イメージングシステムの設置環境の一例を示す図である。ＭＲ撮像が行われる検査室３００には架台１１と寝台１３とが設置されている。架台１１のフロント面側に寝台１３が設けられている。架台１１のボア５３にはスクリーン装置１５が設けられている。検査室３００に隣接する制御室４００には、コンソール２７と投影機１００と投影機制御装置２００とが設置されている。投影機１００は、検査室３００と制御室４００との間の壁５００を隔てて架台１１のリア面側に設置される。壁５００のうちの、投影機１００から架台１１に向かう投影光ＬＰが伝播する部分には当該投影光ＬＰが透過可能な窓５１０が設けられている。窓５１０を介して、制御室４００に設置された投影機１００から検査室３００のスクリーン装置１５に投影光ＬＰを伝播させることができる。なお、上記のレイアウトは一例であり、例えば投影機１００を磁場による影響を受けない材料で構成できるのであれば、投影機１００は検査室３００内に設けられてもよい。
【００３４】
以上、本実施形態における磁気共鳴イメージングシステム１について説明した。このような構成のもと、ボア５３内に移動された被検体Ｐによる圧迫感及び閉塞感を緩和するために、被検体Ｐをリラックスさせるための映像が、投影機１００によりボア５３内やスクリーン装置に設けられたスクリーン６３に投影される。以下、本スクリーン装置１５および天板１３１について、天板１３１に載置された被検体Ｐの目の位置に応じて、スクリーン装置１５に支持アームを介して設けられた反射板を容易に調整可能な構成について説明する。
【００３５】
まず、図４、図５を参照しながらスクリーン装置１５の構造について説明する。図４は、スクリーン装置１５の斜視図である。図５は、スクリーン装置１５の側面図である。スクリーン装置１５は、ベース部材６１、スクリーン６３、支持アーム６５、反射板６７を有する。
【００３６】
ベース部材６１は、天板１３１とともにＺ軸に沿って移動可能な構造体である。ベース部材６１は、スクリーン６３と支持アーム６５とを支持する。ベース部材６１は、樹脂等の磁場に作用しない非磁性材料により形成される。ベース部材６１の上面において、スクリーン６３より外側には、中心軸Ｚに沿った支持アーム６５の移動をガイドするレール７１が設けられる。ベース部材６１は、例えば、天板１３１とスクリーン装置１５とを中心軸Ｚに沿って案内する不図示のガイドに沿って動くようにしてもよい。図４及び図５に示すように、天板１３１に被検体Ｐが載置されていないときなどにおいて、支持アーム６５は、レール７１上において、リア面側の位置に配置される。ベース部材６１の少なくとも一つの側面には、ベース部材６１上における支持アーム６５の位置を示す目盛７３が設けられる。図４および図５に示すように、支持アーム６５の位置を示す目盛７３が設けられるベース部材の側面は、Ｘ軸に略垂直な面である。目盛７３については、後程詳述する。
【００３７】
スクリーン６３は、ベース部材６１に設けられている。スクリーン６３には、投影機１００から出力される映像が、リア面側から投影される。天板１３１に載置された被検体Ｐは、スクリーン６３に映し出された映像を、支持アーム６５に支持された反射板６７を介して見ることができる。
【００３８】
支持アーム６５は、ベース部材６１に取り付けられる。支持アーム６５は、反射板６７をスクリーン６３と寝台１３との間の空間に配置するように支持する。支持アーム６５の基部には、例えば、レール７１に嵌合された不図示の直動軸受が設けられる。また、支持アーム６５の基部には、目盛７３上の支持アーム６５の位置を示すアーム位置指針７５が設けられる。支持アーム６５は、直動軸受およびレール７１を介して、中心軸Ｚに沿って移動可能にベース部材６１に支持される。なお、支持アーム６５は、直動軸受及びレール７１の代わりにランクアンドピニオン等の各種直動ガイドに関する機構を介して、中心軸Ｚに沿って移動可能に、ベース部材６１に支持されてもよい。
【００３９】
反射板６７は、ベース部材６１と天板１３１とが隣接している状態において、天板１３１に載置された被検体Ｐの頭部にぶつからない程度に、ベース部材６１の上面から離れて支持アーム６５により支持される。反射板６７は、スクリーン６３に投影された映像を反射する。反射板６７は、非磁性材料により形成され、対象を光学的に反射可能であれば如何なる素材により形成されてもよい。反射板６７は、図５に示すように、Ｘ軸に平行な軸を回転軸ＲＲ１として回転可能に、支持アーム６５に支持される。
【００４０】
図６は、スクリーン装置１５と天板１３１との斜視図である。図６に示すように、スクリーン装置１５のベース部材６１と天板１３１とが連結されている。天板１３１の前方部には頭部コイル装置の下部コイル１３７が取り付けられている。下部コイル１３７は、天板１３１に仰向けに載置された被検体Ｐの視界を遮ることのなく被検体Ｐの後頭部を覆うことできる湾曲形状を有している。図６における支持アーム６５は、天板１３１に向けてＺ軸に沿って引き出されている。支持アーム６５の引き出し時において、支持アーム６５は、例えば、目盛７３の基準線にアーム位置指針７５が一致する位置に、リア面側から寝台１３へ移動される。図６に示すように天板１３１において、目盛７３が設けられた側面に略平行な側面には、天板１３１に載置された被検体Ｐの目の位置を測るための目盛７７が設けられる。
【００４１】
目盛７３は、支持アーム６５の位置に関して被検体Ｐの目の位置を測る目盛７７と対応付けられている。具体的には、目盛７３および目盛７７各々の基準線、目幅、目量、および目盛スパンは、それぞれ対応付けられている。すなわち、目盛７３と目盛７７とは、例えば，反射板６７の略短軸の中点を通りかつ反射板６７の略長軸に平行な部分領域を被検体Ｐの目の位置の直上に配置させることを実現するために対応付けられた目盛である。目盛７３の基準線と目盛７７の基準線とは、天板１３１に載置された被検体Ｐの目の位置に応じた反射板６７の位置の基準となる目盛線である。目幅とは、隣接する目盛線の間隔である。目量とは、目幅に対応する測定量の大きさであり、一目の読みと称されることもある。目盛スパンとは、最大目盛値と最小目盛値との差の絶対値である。
【００４２】
図７は、天板１３１に載置された被検体Ｐと、スクリーン装置１５との側面図である。図７に示すように、被検体Ｐには頭部コイル装置における上部コイル１３９が装着されているものとして説明する。図７における点線ＬＳ１は、被検体Ｐの目の位置の直上における反射板６７を介した被検体Ｐの視線を示している。図７における８０は、視線ＬＳ１の到達先の映像を示している。視線ＬＳ１の到達先の映像は、例えば、スクリーン６３に投影された映像の一部分、または検査室３００のリア面側の壁面に設けられたディスプレイに表示された映像の一部分などである。
【００４３】
（位置調整機能）  
以下、本実施形態に係る位置調整機能について、フローチャートを用いて説明する。位置調整機能とは、天板１３１に載置された被検体Ｐの目の位置に応じて、反射板６７の位置を調整させる機能である。図８は、位置調整機能に係る処理の流れの一例を示すフローチャートである。
【００４４】
検査室３００への被検体Ｐの入室に先立って、天板１３１は、架台１１のフロント面側のボア５３外に位置する。天板１３１に被検体Ｐが載置されると、支持アーム６５は、ユーザの操作により、寝台１３側に引き出される。例えば、支持アーム６５は、アーム位置指針７５が目盛７３の基準線に一致する位置に移動される。
【００４５】
（ステップＳａ１）  
ユーザは、天板１３１に載置された被検体Ｐの目の位置が目盛７７の基準線に一致しているか否かを確認する。天板１３１に載置された被検体Ｐの目の位置が目盛７７の基準線に一致している場合（ステップＳａ１のＹｅｓ）、位置調整機能は終了する。図７は、天板１３１に載置された被検体Ｐの目の位置が目盛７７の基準線に一致している状態を示している。このとき、反射板６７の位置の調整、すなわち支持アーム６５の移動は不要となる。天板１３１に載置された被検体Ｐの目の位置が目盛７７の基準線に一致していない場合、ステップＳａ２へ進む。
【００４６】
（ステップＳａ２）  
ユーザは、目盛７７において、基準線から被検体Ｐの目の位置に対応する目盛線までの目幅数と、基準線からこの目盛線までの方向とを特定する。これらの特定は、ユーザにより被検体Ｐの目の位置を、目盛７７で測ることで実現される。以下、説明を簡単にするために、天板１３１に載置された被検体Ｐの目の位置を示す目盛線は、目盛７７において、基準線から寝台１３側に向かって、５つの目幅数であるものとする。このとき、ユーザにより特定された目幅数は５である。加えて、ユーザにより特定された方向は、基準線から寝台１３側へ向かう方向である。目盛７７における目幅数と方向との特定後、ステップＳａ３へ進む。
【００４７】
（ステップＳａ３）  
目盛７３の基準線から、特定された方向に沿って、特定された目幅数だけ、ユーザ操作により支持アーム６５がレール７１上で移動される。図９は、支持アーム６５の移動前後において、天板１３１とスクリーン装置１５との側面を示す図である。図９における点線の反射板および支持アームは、支持アームの移動前の状態を示している。図９における実線の反射板６７および支持アーム６５は、支持アーム６５の移動後の状態を示している。図９における点線ＬＳ２は、支持アーム６５の移動後において、被検体Ｐの目の位置の直上における反射板６７を介した被検体Ｐの視線を示している。本ステップにおいて、ユーザは、図９の矢印８１に示すように、アーム位置指針７５を、目盛７３の基準線から寝台側１３へ、５つの目幅数だけ移動させる。支持アーム６５に対するユーザ操作により、移動後の反射板６７の部分領域は、被検体Ｐの目の位置の略直上に配置される。
【００４８】
以上に述べた構成によれば、以下のような効果を得ることができる。  
本実施形態に係る医用画像診断装置１０によれば、目盛７７を天板１３１に設けることができ、支持アーム６５の位置に関して目盛７７に対応付けられた目盛７３をベース部材６１に設けることができる。これにより、ユーザは、被検体Ｐの目の位置に対応する目盛７７の目盛線と目盛７７の基準線との間の目幅数だけ、目盛７７の基準線から目の位置に対応する目盛線に向かう方向に、目盛７３およびアーム位置指針７５を用いて、支持アーム６５を簡便に移動させることができる。すなわち、本実施形態に係る医用画像診断装置１０によれば、被検体Ｐの体型により天板１３１に対する被検体Ｐの目の位置が変わったとしても、反射板６７の部分領域の位置を被検体Ｐの目の位置の直上に容易に移動させることができる。これにより、被検体Ｐの目の位置に対する反射板６７の位置調整において、ユーザの利便性を向上させることができる。
【００４９】
これらのことから、本実施形態によれば、反射板６７を介した映像の視野範囲を最適な状態として被検体Ｐに提供できるため、被検体Ｐはより明瞭に映像を視認することができる。以上のことから、本実施形態によれば、被検体Ｐに対して映像への没入感を向上させることができ、ボア５３内での圧迫感や閉塞感を低減させることができる。
【００５０】
（第１の変形例）  
本実施形態との相違は、目盛７７が天板１３１に搭載された頭部コイル装置に設けられることにある。図１０は、支持アーム６５の移動前後において、頭部コイル装置１４０とスクリーン装置１５との側面を示す図である。図９との相違は、目盛７７が頭部コイル装置１４０に設けられていることにある。
【００５１】
頭部コイル装置１４０は、枠体と、下部コイル１３７と、上部コイル１３９と、第１目盛７７とを有する。枠体は、被検体Ｐの頭部を囲う。下部コイル１３７と上部コイル１３９とは、枠体に設けられ、ＭＲ撮像用のＲＦコイルである。目盛７７は、枠体に設けられ、被検体の目の位置を測るために利用される。本変形例における位置調整機能については、本実施形態と同様なため、説明は省略する。
【００５２】
以上に述べた構成によれば、本実施形態に係る効果に加えて以下の効果を得ることができる。  
本変形例に係る医用画像診断装置１０によれば、目盛７７を頭部コイル装置１４０に設けることができる。これにより、頭部コイル装置１４０が装着された被検体の目の位置と目盛７７との距離が近くなるため、被検体Ｐの目の位置を測る精度を向上させることができる。これらのことから、本変形例に係る医用画像診断装置１０によれば、反射板６７の部分領域の位置を被検体Ｐの目の位置の直上に精度よくかつ容易に移動させることできる。以上のことから、本変形例によれば、被検体Ｐに対して映像への没入感をさらに向上させることができ、ボア５３内での圧迫感や閉塞感をさらに低減させることができる。
【００５３】
（第２の変形例）  
本実施形態および第１の変形例との相違は、支持アーム６５の反射板６７側の端部に、反射板６７の回転に関する目盛が設けられていることにある。図１１は、反射板６７の回転前後において、天板１３１と頭部コイル装置１４０との側面を示す図である。
【００５４】
本変形例における頭部コイル装置１４０は、支持アーム６５を有する。本変形例における支持アーム６５は、頭部コイル装置１４０における枠体に設けられ、反射板６７を回転可能に支持する。支持アーム６５は、反射板６７の回転に関して目盛７７に対応付けられた目盛８５を有する。反射板６７は、回転指針８７を有する。
【００５５】
なお、頭部コイル装置１４０の枠体には、図４および図６に示すレール７１が設けられてもよい。このとき、枠体には、目盛が設けられる。加えて、支持アーム６５の基部には、アーム位置指針が設けられる。このような構成を頭部コイル装置１４０が有する場合、頭部コイル装置１４０は、本実施形態における位置調整機能を有する。このとき、支持アーム６５は、天板１３１の長軸方向に沿って移動可能となる。
【００５６】
目盛８５は、反射板６７の回転に関して被検体の目の位置を測る目盛７７と対応付けられている。具体的には、目盛８５および目盛７７各々の基準線、目幅、目量、および目盛スパンは、それぞれ対応付けられている。目盛８５と目盛７７とは、天板１３１に載置された被検体Ｐの目の位置の直上における反射板６７を介した視線を所定の位置８０に到達させることを実現するために対応付けられた目盛である。なお、目盛８５は、ベース部材６１に設けられた支持アーム６５の反射板６７側の端部に設けられてもよい。ここで、所定の位置とは、例えば、スクリーン６３の中央部分、または検査室３００のリア面側の壁面に設けられたディスプレイの中央部分などであり、被検体Ｐに視認させる対象物に相当する。
【００５７】
回転指針８７は、目盛８５上の反射板６７の向きを示す指針である。回転指針８７は、反射板６７の回転軸ＲＲ１近傍に設けられる。
【００５８】
図１２は、位置調整機能による支持アーム６５の移動により、被検体Ｐの視線の到達先が変化する一例を示す図である。被検体Ｐの目が目盛７７の基準線に位置し、アーム位置指針７５が目盛７３の基準線に位置している場合、被検体Ｐの目の位置の直上における反射板６７を介した被検体Ｐの視線ＬＳ１は、図１２に示すように、スクリーン６３上の所定の位置８０に到達する。このとき、反射板６７の回転は不要となる。
【００５９】
一方、目盛７７の基準線から寝台１３側に５つの目幅数だけ離れた場所に被検体Ｐの目が位置し、目盛７３の基準線から寝台１３側に５つの目幅数だけ離れた場所にアーム位置指針７５が位置している場合、被検体Ｐの目の位置の直上における反射板６７を介した被検体Ｐの視線ＬＳ４は、図１２に示すように、スクリーン６３上の所定の位置８０の下方に到達する。ＬＳ４で示す視線の到達先を所定の位置８０に合わせるために、反射板６７は、図１２の８９に示すように、回転軸ＲＲ１周りに、Ｘ軸の向きに対して右回りに回転される。ユーザは、目盛７７に対応付けられた目盛８５により、回転の程度を把握することができる。
【００６０】
また、目盛７７の基準線からリア面側に５つの目幅数だけ離れた場所に被検体Ｐの目が位置し、目盛７３の基準線からリア面側に５つの目幅数だけ離れた場所にアーム位置指針７５が位置している場合、被検体Ｐの目の位置の直上における反射板６７を介した被検体Ｐの視線ＬＳ５は、図１２に示すように、スクリーン６３上の所定の位置８０の上方に到達する。ＬＳ５で示す視線の到達先を所定の位置８０に合わせるために、反射板６７は、図１２の９１に示すように、回転軸ＲＲ１周りに、Ｘ軸の向きに対して左回りに回転される。
【００６１】
図１２に示すように、被検体Ｐの目の位置が目盛７７の基準線に対して寝台側にある場合、反射板６７は、反射板６７の反射面をリア側に向ける方向、すなわち反射板６７を鉛直に立てる方向に回転される。また、図１２に示すように、被検体Ｐの目の位置が目盛７７の基準線に対してリア側にある場合、反射板６７は、反射板６７の反射面を寝台側に向ける方向、すなわち反射板６７を水平にする方向に回転される。
【００６２】
（傾き調整機能）  
以下、本実施形態に係る傾き調整機能について、フローチャートを用いて説明する。傾き調整機能とは、被検体Ｐの目の位置に応じて、反射板６７の傾きを調整させる機能である。図１３は、傾き調整機能に係る処理の流れの一例を示すフローチャートである。
【００６３】
（ステップＳｂ１）  
ユーザは、天板１３１に載置された被検体Ｐの目の位置が目盛７７の基準線に一致しているか否かを確認する。天板１３１に載置された被検体Ｐの目の位置が目盛７７の基準線に一致している場合（ステップＳｂ１のＹｅｓ）、傾き調整機能は終了する。図１１の点線の反射板６７は、天板１３１に載置された被検体Ｐの目の位置が目盛７７の基準線に一致している場合の反射板６７の傾きを示している。このとき、反射板６７の傾きの調整、すなわち反射板６７の回転は不要となる。天板１３１に載置された被検体Ｐの目の位置が目盛７７の基準線に一致していない場合、ステップＳｂ２へ進む。
【００６４】
（ステップＳｂ２）  
ユーザは、目盛７７において、基準線から被検体Ｐの目の位置に対応する目盛線までの目幅数と、基準線からこの目盛線までの方向とを特定する。これらの特定は、ユーザにより被検体Ｐの目の位置を、目盛７７で測ることで実現される。以下、説明を簡単にするために、図１１に示すように、天板１３１に載置された被検体Ｐの目の位置を示す目盛線は、目盛７７において、基準線からリア側に向かって、５つの目幅数であるものとする。このとき、ユーザにより特定された目幅数は５である。加えて、ユーザにより特定された方向は、基準線からリア側へ向かう方向である。目盛７７における目幅数と方向との特定後、ステップＳｂ３へ進む。
【００６５】
（ステップＳｂ３）  
目盛８５の基準線から、特定された方向に対応する回転方向に沿って、特定された目幅数だけ、ユーザ操作により反射板６７が回転軸ＲＲ１周りに回転される。特定された方向に対応する回転方向とは、被検体Ｐの目の位置が目盛７７の基準線に対して寝台側にある場合Ｘ軸の向きに対して右回りであり、被検体Ｐの目の位置が目盛７７の基準線に対してリア側にある場合Ｘ軸の向きに対して左回りである。
【００６６】
図１１における点線の反射板および回転指針は、反射板の回転前の状態を示している。図１１における実線の反射板６７および回転指針８７は、反射板６７の回転後の状態を示している。図１１における点線ＬＳ３は、反射板６７の回転後において、被検体Ｐの目の位置の直上における反射板６７を介した被検体Ｐの視線を示している。本ステップにおいて、ユーザは、図１１の矢印９１に示すように、回転指針８７を、目盛８５の基準線からＸ軸の向きに対して左回りに、５つの目幅数だけ移動させる。反射板６７に対するユーザ操作により、回転後の反射板６７を介した被検体Ｐの視線ＬＳ３の到達先は、所定の位置８０に維持される。
【００６７】
なお、本変形例を本実施形態に組み入れる場合、ステップＳｂ１およびステップＳｂ２は不要となる。例えば、位置調整機能に続いて傾き調整機能が実行される場合、図８のステップＳａ３の処理の後に、ステップＳｂ３の処理が実行される。
【００６８】
以上に述べた構成によれば、以下のような効果を得ることができる。  
本実施形態に係る医用画像診断装置１０によれば、支持アーム６５の反射板６７側の端部に、反射板６７の回転に関して目盛７７に対応付けられた目盛８５を設けることができる。これにより、ユーザは、被検体Ｐの目の位置に対応する目盛７７の目盛線と目盛７７の基準線との間の目幅数だけ、目盛７７の基準線から目の位置に対応する目盛線に向かう方向に対応する回転方向に、回転指針８７および目盛８５を用いて、反射板６７を簡便に回転させることができる。すなわち、本実施形態に係る医用画像診断装置１０によれば、天板１３１に対する被検体Ｐの目の位置が変わったとしても、被検体Ｐの目の位置に応じて反射板６７を回転させることにより、被検体Ｐの視線の到達先を所定の位置８０に容易に維持することができる。これにより、被検体Ｐの目の位置に対する反射板６７の傾き調整において、ユーザの利便性を向上させることができる。
【００６９】
これらのことから、本変形例によれば、反射板６７を介した映像の視野範囲を最適な状態として被検体Ｐに提供できるため、被検体Ｐはより明瞭に映像を視認することができる。以上のことから、本変形例によれば、被検体Ｐに対して映像への没入感を向上させることができ、ボア５３内での圧迫感や閉塞感を低減させることができる。
【００７０】
（第３の変形例）  
本実施形態、第１の変形例および第２の変形例との相違は、目盛７３の目盛スパンが目盛７７の目盛スパンより小さい場合、被検体Ｐの目の位置の直上における反射板６７を介した被検体Ｐの視線の到達先を、反射板６７の回転により所定の位置に合わせることにある。本変形例における支持アーム６５の反射板６７側の端部には、目盛８５が設けられる。本変形例においては、位置調整機能と傾き調整機能とを併用することにより、反射板６７の位置が調整される。位置調整機能と傾き調整機能とは、上述した手順に対応するため、説明は省略する。また、本変形例における効果は、実施形態の効果に加えて第２の変形例の効果を有するため、説明を省略する。
【００７１】
図１４は、支持アーム６５の移動前後および反射板６７の回転前後において、天板１３１とスクリーン装置１５との側面を示す図である。図１４に示すように、天板１３１に載置された被検体Ｐの目の位置は、目盛７７の基準線から寝台側に１５の目幅数だけ進んだ位置に相当する。このため、支持アーム６５は、位置調整機能により、図１４の矢印８１のように、目盛７３の基準線から寝台１３側に最大目幅である５つの目幅だけ進んだ位置に、ユーザの操作により移動される。次いで、傾き調整機能により、目盛７７における基準線から被検体Ｐの目の位置に対応する目盛り線までの目幅数（１５）と特定された方向に対応する回転方向とに従って、目盛８５と回転指針８７とを用いて、反射板６７がユーザの操作により回転される。以上のように、被検体Ｐの目の位置の直上における反射板６７を介した被検体Ｐの視線ＬＳ６は、図１４に示すように、所定の位置８０に到達する。
【００７２】
（第４の変形例）  
本変形例は、位置調整機能により、支持アーム６５が移動されると、支持アーム６５の移動量に応じて反射板６７が回転することにある。本変形例において、目盛８５と回転指針８７とは不要となる。
【００７３】
本変形例における支持アーム６５は、枠体上における支持アーム６５の移動量に応じた回転量、またはベース部材６１上における支持アーム６５の移動量に応じた回転量で、反射板６７を回転させる回転機構を有する。回転機構は、例えば、支持アーム６５の移動を回転に変換するボールネジと、ボールネジの回転を回転軸ＲＲ１に伝達するフレキシブルシャフトとを有する。フレキシブルシャフトと回転軸ＲＲ１との間と、ボールネジとフレキシブルシャフトとの間とのうち少なくとも一方には、支持アーム６５の移動量と反射板６７の回転量とを対応付けた少なくとも一つの歯車が設けられる。少なくとも一つの歯車は、図１２に示すように、被検体Ｐの目の位置の直上に位置する反射板６７を介して対象物８０を被検体Ｐが視認できるように支持アーム６５の移動量に応じて反射板６７を回転させる歯数を有する。このような構成により、支持アーム６５の移動に応答して、支持アーム６５の移動量に対応する回転量だけ、反射板６７は回転する。
【００７４】
以上に述べた構成によれば、本実施形態および第１、第２変形例に係る効果に加えて以下の効果を得ることができる。  
本変形例によれば、支持アーム６５の移動に応じて、反射板６７は回転することができる。これにより、天板１３１に載置された被検体Ｐの目の位置に応じて、反射板６７の位置をさらに容易に調整することができ、ユーザの負担を軽減させることができる。
【００７５】
以上述べた実施形態および変形例等の医用画像診断装置（磁気共鳴イメージング装置）１０、および頭部コイル装置１４０によれば、天板に載置された被検体の目の位置に応じて、反射板の位置を容易に調整することができ、ユーザの利便性を向上させることができる。なお、被検体Ｐの目の位置を測る目盛７７は第１目盛に相当する。また、第１目盛に対応付けられ、支持アーム６５の位置を示す目盛７３は、第２目盛に相当する。また、反射板６７の回転に関して第１目盛に対応付けられた目盛８５は、第３目盛に相当する。
【００７６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれるものである。
【符号の説明】
【００７７】
１…医用画像診断システム、１０…医用画像診断装置、１１…架台、１３…寝台、１５…スクリーン装置、１７…撮像制御ユニット、２１…傾斜磁場電源、２３…送信回路、２５…受信回路、２７…コンソール、３１…撮像制御回路、３２…再構成回路、３３…画像処理回路、３４…通信回路、３５…表示回路、３６…入力回路、３７…主記憶回路、３８…システム制御回路、４１…静磁場磁石、４３…傾斜磁場コイル、４５…ＲＦコイル、５１…架台筐体、５３…ボア、６１…ベース部材、６３…スクリーン、６５…支持アーム、６７…反射板、７１…レール、７３…目盛、７５…アーム位置指針、７７…目盛、８０…対象物、８５…目盛、８７…回転指針、１００…投影機、１３１…天板、１３７…下部コイル、１３９…上部コイル、１４０…頭部コイル装置、２００…投影機制御装置、３００…検査室、４００…制御室、５００…壁、５１０…窓。
【図１】
2018068365.tif 000003
【図２】
2018068365.tif 000004
【図３】
2018068365.tif 000005
【図４】
2018068365.tif 000006
【図５】
2018068365.tif 000007
【図６】
2018068365.tif 000008
【図７】
2018068365.tif 000009
【図８】
2018068365.tif 000010
【図９】
2018068365.tif 000011
【図１０】
2018068365.tif 000012
【図１１】
2018068365.tif 000013
【図１２】
2018068365.tif 000014
【図１３】
2018068365.tif 000015
【図１４】
2018068365.tif 000016